(57)【特許請求の範囲】
【請求項１】
円筒状の胴部２上端から、上内方へ起立する肩部３を介して口頸部４を起立し、かつ胴部の後方上部には後面および左右両側面を開放する、把手付き部材取付け用の凹部５を設けた容器本体１と、
上記凹部５内への挿入用の上下一対の脚板15,16及び縦板を有し、この縦板の上部12及び下部13の各後面に指当て用窪み19,19を形成するとともに、縦板のうちそれら上部12及び下部13を除いた中間縦板部分を把手14として、該中間縦板部分の上下両端から上記脚板15,16を前方突出して、上下対称に形成した把手付き部材11とを具備し、
上記両脚板のうち、上方脚板15の上面は凹部５の上面へ、又下方脚板16の下面は凹部の下面へ、それぞれ接し、
かつそれ等両脚板の前端部は凹部奥壁の上下両端部へのインサート成形により埋設固定させ、又上記縦板上部12の前面は、凹部上方の胴部分後面へ当接ないし近接させて設けたことを特徴とする把手付き合成樹脂製容器。
【請求項２】
上下両脚板の前端部を、上方脚板15の前端部は上方へ、下方脚板16前端部は下方へ、それぞれ屈曲させた
ことを特徴とする請求項１記載の把手付き合成樹脂製容器。
【請求項３】
縦板上部12の前面および外面を、凹部５上方胴部分後部内へ埋設した
ことを特徴とする、請求項１又は２記載の把手付き合成樹脂製容器。
【請求項４】
上記窪み19,19 の前面を、上方窪みは上前方へ、下方窪みは下前方への傾斜面21,21 に形成して、窪み先端部と左右側部とに、指頭滑止め用の起立面22を形成した
ことを特徴とする、請求項１、２又は３記載の把手付き合成樹脂製容器。
【発明の詳細な説明】
【０００１】
【発明の属する技術分野】
本発明は把手付きの合成樹脂製容器に関する。
【０００２】
【従来の技術】
例えば実開平6-81936 号が示す把手付きの合成樹脂製容器が知られている。該容器はインサート成形により一体成形させた把手上端部の外面へ指当て用の窪みを設けたもので、把手を持って容器を持ち上げ、収納液注出のために容器を傾ける際、把手を持つ手の拇指を上記窪みへ当てて傾けることで液体注出が容易であるよう設けたものである。
【０００３】
【発明が解決しようとする課題】
近時上記のような把手付き合成樹脂製容器として、例えば４リットル入りの容器も用いられるようになった。このような大型容器は液体充填状態で相当の重量となるため、上記把手の形状および該把手に対する指当て用窪みの位置が重要となり、容器の使い易さに影響を及ぼす。又把手付き部材は予め別成形しておき、容器体成形時にいわゆるインサート成形により一体成形するが、その把手付き部材を上下対称にしておけば、そのインサート成形に際して把手付き部材の上下を誤って逆にするおそれはなく便利である。
【０００４】
本発明は以上の点を考慮して、大型容器であっても使い易く、又把手付き部材を容器体に対してインサート成形する際に、その把手付き部材の上下を確認しなくてもよいよう設けたものである。
【０００５】
【課題を解決するための手段】
第１の手段として、円筒状の胴部２上端から、上内方へ起立する肩部３を介して口頸部４を起立し、かつ胴部の後方上部には後面および左右両側面を開放する、把手付き部材取付け用の凹部５を設けた容器本体１と、
上記凹部５内への挿入用の上下一対の脚板15,16及び縦板を有し、この縦板の上部12及び下部13の各後面に指当て用窪み19,19を形成するとともに、縦板のうちそれら上部12及び下部13を除いた中間縦板部分を把手14として、該中間縦板部分の上下両端から上記脚板15,16を前方突出して、上下対称に形成した把手付き部材11とを具備し、
上記両脚板のうち、上方脚板15の上面は凹部５の上面へ、又下方脚板16の下面は凹部の下面へ、それぞれ接し、
かつそれ等両脚板の前端部は凹部奥壁の上下両端部へのインサート成形により埋設固定させ、又上記縦板上部12の前面は、凹部上方の胴部分後面へ当接ないし近接させて設けた。
【０００６】
第２の手段として、上記第１の手段を有すると共に上下両脚板の前端部を、上方脚板15の前端部は上方へ、下方脚板16前端部は下方へ、それぞれ屈曲させた。
【０００７】
第３の手段として、上記第１又は第２の手段を有すると共に縦板上部12の前面および外面を、凹部５上方胴部分後部内へ埋設した。
【０００８】
第４の手段として、上記第１、第２又は第３の手段を有すると共に上記窪み19,19 の前面を、上方窪みは上前方へ、下方窪みは下前方への傾斜面21,21 に形成して、窪み先端部と左右側部とに、指頭滑止め用の起立面22を形成した。
【０００９】
【発明の実施の形態】
以下図１と図２とが示す第１実施形態について説明すると、１は円筒状の胴部２上端から上内方へ起立する肩部３を介してキャップ螺合用口頸部４を起立する合成樹脂製の容器本体である。該容器本体は胴部２の後方上部に後述の把手付き部材取付け用の、後面および左右両側面を開放する凹部５を有する。又図示例にあっては、胴部２前半にレッテル貼付用の浅い凹状部６を大きく形成し、又胴部２の下部外周に凹溝７を周設し、更に凹部５下方の胴部分の後壁部分を該部分の半径が短かく、かつ曲率半径を大とした壁部としている。但しこれ等はデザイン上のもので必ずしも必要としない。又肩部３の外周部は六角錐状部８としているが、これについても同様である。
【００１０】
上記凹部５へは別に設けた合成樹脂製の把手付き部材11をインサート成形により取付けている。該部材は縦板の上下両部12,13 を除いた中間縦板部分を把手14となし、該把手の上下両端から前方へそれぞれ脚板15,16 を前方突出している。それ等脚板前部間には補強板17を架設してもよい。脚板の前端部からは、上方脚板15上端から上方へ、又下方脚板16下端からは下方へ、それぞれ抜出し防止突部18,18 を突出し、又上記縦板の上下両部後面には指当て用窪み19,19 を穿設している。
【００１１】
上記把手付き部材11は上半と下半とを対称に形成し、上方脚板15上面は凹部５の上面に、又下方脚板16の下面は凹部５の下面に、それぞれ当接させて、それ等脚板の前端部を凹部奥壁の上端部と下端部へインサート成形により埋設して固定させる。既述補強板17を付設した場合は該補強板の前面および左右側面を凹部奥壁内へ埋設すればよい。
【００１２】
縦板上部12の前面は凹部５上方の胴部分後面へ当接ないし近接させておく。縦板下部13の前面と、凹部下方の胴部分後面との間には図示のように間隙を設けてもよく、図３のようにその間隙が生じないよう当接させてもよい。
【００１３】
尚凹部５上方の胴部上端部分には補強リブ20を横設している。該リブは胴部内面へ弯曲して突出し、該リブ後面を凹溝として形成しているが、逆に、つまり胴部後方へ弯曲突設させてリブ前面を胴部内面側への凹溝として形成してもよい。
【００１４】
図３から図５は第２実施形態を示す。該実施形態は既述縦板上部12の前面および外面を、凹部５上方の胴部分後部内へ埋設した点が第１実施形態と異る。この場合は凹部上方胴部分に横設した補強リブ20は、縦板上部埋設部分を除いてその埋設部分の左右側方に横設する。その他部分は第１実施形態の場合と同じであり、よって同一符号を付することで説明を省略する。
【００１５】
図６と図７とは第３実施形態を示す。該実施形態は、既述指当て用窪み19,19 の前面を、上方窪みにあっては上前方への、又下方窪みにあっては下前方への、それぞれ傾斜面21,21 としてそれ等窪みの先端部と左右側部とに指頭滑止め用の起立面22,22 を形成したものであり、その他構造は第１実施形態の場合とほぼ同一であり、よって同一符号を付することで説明は省略する。
【００１６】
【発明の効果】
本発明は既述構成としたものであり、把手付き部材を上下対称としたから容器本体へのインサート成形に際して上下確認の手数が不要である。又上下両部を除いた縦板の中間部分を把手14として、該把手の上下両端から脚板15,16 を前方突出し、縦板上下両部後面に指当て用窪み19,19 を設けたから、把手14を握った手の拇指を上記窪みに当てて容器本体を傾けることが出来、このとき人指し指上面を上方脚板15下面へ当てて把手14を握ることが出来るから、重量のある容器本体を持上げ易く、又窪み19はその上方脚板15よりも上方にあるから把手を持つ手の拇指の指腹を押付けて行う容器本体傾斜による液体注出が容易となる。又両脚板のうち、上脚板上面は凹部５の上面へ、又下脚板の下面は凹部の下面へ、それぞれ当接させてそれ等両脚板前端部を凹部奥壁の上下両端部へインサート成形したから、容器本体に対する把手付き部材の取付けを確実とすることが出来る。
【００１７】
請求項２のように上方脚板15前端部を上方へ、又下脚板前端部を下方へ、それぞれ屈曲させることで上記インサート成形による把手付き部材の固着を更に確実とすることが出来る。
【００１８】
請求項３のように縦板上部12の前面および外面を、凹部５上方の胴部分後部内へ埋設することで、その縦板上部が多少肉薄であってもその弾性変形が防止でき、請求項４のように上方窪み前面が上前方への傾斜面21となるよう設けてその窪み先端部と左右側部とに指頭滑止め用の起立面22を形成することで、その窪み内へ入れた拇指が容器本体を傾けた際に滑ることがなく、該容器本体傾斜による液体注出が容易である。
【図面の簡単な説明】
【図１】  第１実施形態で示す、本発明容器の側面図である。
【図２】  図１容器の背面図である。
【図３】  第２実施形態で示す、本発明容器の側面図である。
【図４】  図３容器の背面図である。
【図５】  図３容器要部の拡大斜視図である。
【図６】  第３実施形態で示す、本発明容器の側面図である。
【図７】  図６容器の背面図である。
【符号の説明】
５…凹部                  11…把手付き部材
14…把手                  15…上方脚板
16…下方脚板              19…窪み
【図１】
0003970479.tif 000002
【図２】
0003970479.tif 000003
【図３】
0003970479.tif 000004
【図４】
0003970479.tif 000005
【図５】
0003970479.tif 000006
【図６】
0003970479.tif 000007
【図７】
0003970479.tif 000008